(57)【特許請求の範囲】
【請求項１】
設備機器に対して着脱自在に装着可能な運転制御装置と、
この運転制御装置に対して指令信号を送信する操作端末とを備え、
前記運転制御装置は、
前記操作端末から送信された指令信号を受信する通信手段を有すると共に、
自装置と接続された設備機器のオン／オフを前記指令信号に応じて制御する運転制御手段と、自装置と接続された設備機器の出力値を前記指令信号に応じて制御する出力制御手段とのうち少なくとも１つと、
前記操作端末からの指令信号が自装置と接続された設備機器のグループ化を指令するグループ化指令信号である場合に、自装置と接続された設備機器が前記グループ化指令信号に含まれるグループ識別情報で特定されるグループに所属する機器であることを示すグループ化設定情報を生成して記憶するグループ設定手段と、
設備機器の運転状態あるいは設備機器のグルーピング状態を、前記設備機器が設置された建物の居住者あるいは管理者に通知する通知手段とを有し、
前記運転制御手段または前記出力制御手段は、自装置と接続された設備機器が所属するグループに対する前記指令信号を受信したときに、自装置と接続された設備機器を制御することを特徴とする運転制御システム。
【請求項２】
請求項１記載の運転制御システムにおいて、
前記グループ設定手段は、前記操作端末との距離に応じて、設備機器をグループ化することを特徴とする運転制御システム。
【請求項３】
請求項１または２記載の運転制御システムにおいて、
前記運転制御装置は、さらに、人の存在を検知する人感センサを有し、
前記運転制御手段または前記出力制御手段は、前記人感センサの検知結果に応じて、自装置と接続された設備機器を制御することを特徴とする運転制御システム。
【請求項４】
請求項１乃至３のいずれか１項に記載の運転制御システムにおいて、
前記設備機器は、照明器具であり、
前記運転制御装置は、さらに、発光装置を装着可能なソケットと、前記照明器具への装着時に照明器具のソケットと接続される端子とを有することを特徴とする運転制御システム。
【請求項５】
設備機器に対して着脱自在に装着可能な運転制御装置であって、
操作端末から送信された指令信号を受信する通信手段を有すると共に、
自装置と接続された設備機器のオン／オフを前記指令信号に応じて制御する運転制御手段と、自装置と接続された設備機器の出力値を前記指令信号に応じて制御する出力制御手段とのうち少なくとも１つと、
前記操作端末からの指令信号が自装置と接続された設備機器のグループ化を指令するグループ化指令信号である場合に、自装置と接続された設備機器が前記グループ化指令信号に含まれるグループ識別情報で特定されるグループに所属する機器であることを示すグループ化設定情報を生成して記憶するグループ設定手段と、
設備機器の運転状態あるいは設備機器のグルーピング状態を、前記設備機器が設置された建物の居住者あるいは管理者に通知する通知手段とを有し、
前記運転制御手段または前記出力制御手段は、自装置と接続された設備機器が所属するグループに対する前記指令信号を受信したときに、自装置と接続された設備機器を制御することを特徴とする運転制御装置。
【請求項６】
請求項５記載の運転制御装置において、
前記グループ設定手段は、前記操作端末との距離に応じて、設備機器をグループ化することを特徴とする運転制御装置。
【請求項７】
請求項５または６記載の運転制御装置において、
さらに、人の存在を検知する人感センサを有し、
前記運転制御手段または前記出力制御手段は、前記人感センサの検知結果に応じて、自装置と接続された設備機器を制御することを特徴とする運転制御装置。
【請求項８】
請求項５乃至７のいずれか１項に記載の運転制御装置において、
前記設備機器が照明器具である場合に、発光装置を装着可能なソケットと、前記照明器具への装着時に照明器具のソケットと接続される端子とを有することを特徴とする運転制御装置。
【発明の詳細な説明】
【技術分野】
【０００１】
本発明は、照明器具や空調給気吹出口などの設備機器の運転を制御する運転制御システムおよび運転制御装置に関するものである。
【背景技術】
【０００２】
従来、オフィスビルなどの建物の大規模な室内には、複数の空調給気吹出口や照明器具などの設備機器が設置される。設備機器の配置は、居住者が室内レイアウトを決定する以前に居住者の意志と関係なくあらかじめ決定される。これらの設備機器は適宜区分けされて、区分けされたゾーン毎に別々にオン／オフが可能なように設計される。
【０００３】
このように、設備機器はゾーン単位で操作されるため、ゾーン内の一部に人がいない領域があったとしても空調や照明をオフにすることはできず、エネルギーの無駄が生じていた。そこで、照明器具に装着する調光センサ装置によって個別に調光ができるようにした技術が提案されている（特許文献１参照）。この特許文献１に開示された技術は、調光センサ装置に人感センサや照度センサを設け、人の存否や周囲の明るさに応じて照明器具を個別に調光制御するものである。
【先行技術文献】
【特許文献】
【０００４】
【特許文献１】特開２００７−１２３３１号公報
【発明の概要】
【発明が解決しようとする課題】
【０００５】
（Ａ）設備機器が適宜区分けされる設計は、居住者が室内レイアウトを決定する以前に行なわれるため、実際に利用される際の利便性を反映したものにはなり難い。
（Ｂ）設備機器は、机や椅子のように居住者が配置を変更できるものとは異なり、天井や壁面に固定されるため、室内レイアウトの確定後あるいは変更後に都合よく配置変更できるものではない。
（Ｃ）設備機器は、机や椅子のように居住者が個別に占有して利用できるものとは異なり、適宜区分けされたゾーンの範囲で複数の居住者が共有するため、居住者の存在状況に応じて最適な使用状態を実現できるものではない。
（Ｄ）以上の（Ａ）〜（Ｃ）の制約により、必要な室内環境を実現しながら使用エネルギーを最小化することなどが困難になる。
【０００６】
（Ｅ）例えば、区分けされたゾーンが、本来なら１０人で共有する設計であり、当該ゾーンには照明器具が８灯、空調吹出口が６台設置され、それら照明器具および空調吹出口が一括で制御される場合に、何らかの事情によりゾーンに１人しかいないという状況であっても、１０人が存在する状況と同じエネルギー量を使用して必要な室内環境を維持しなければならない。すなわち、照明は８灯すべてが点灯しており、空調吹出口も６つすべてから給気が供給され、エネルギーは１人に必要な量よりも多く消費される。
【０００７】
（Ｆ）また、例えば図１５の平面図で示すように、空間２００の内部に設備機器２０１が多数設置され、空間２００が複数のゾーン２０２〜２０６に区分けされている場合を考える。ゾーン２０２と２０３に跨るようにして打合せ卓２０７が設置されると、打合せ卓２０７の人が不在で打合せ卓２０７の位置の設備機器２０１をオフにしたい場合でも、２０８，２０９の位置に人がいると、ゾーン２０２，２０３の設備機器２０１をオフにすることはできない。
【０００８】
（Ｇ）居住者が設備機器を完全に個別に利用できる程度に区分け単位を細分化するようにあらかじめ設計すると、室内が不必要に過剰に細分化されてしまうこともあり得る。結果的に、使い分けが過度に煩雑になったり、設置コストが不必要に高くなったりするような弊害も生じる。
（Ｈ）また、区分け単位を後から細分化しようとすると、配線の変更や、機器全体の交換が必要となり、設備変更コストが多大となる。
【０００９】
（Ｉ）特許文献１に開示された技術では、図１６の平面図で示すように、空間２１０内の各照明器具２１１に調光センサ装置２１２を装着することにより、照明器具２１１を個別に調光制御できるようにしている。しかしながら、特許文献１に開示された技術では、調光センサ装置２１２を全照明器具２１１に装着することを前提としているため、設置コストが高くなるという問題点があった。また、室内を照明器具２１１毎に区分けすることになるので、室内を不必要に過剰に細分化してしまうという問題点があった。さらに、特許文献１に開示された技術では、動作モードを変更しようとすると、調光センサ装置２１２を照明器具２１１から取り外して再設定し、再度装着しなければならないという問題点があった。
【００１０】
本発明は、上記課題を解決するためになされたもので、居住者が室内レイアウトを決定した後に実際に利用する際の利便性を反映させることができると共に、エネルギー使用量を抑制することができる運転制御システムおよび運転制御装置を提供することを目的とする。
【課題を解決するための手段】
【００１１】
本発明の運転制御システムは、設備機器に対して着脱自在に装着可能な運転制御装置と、この運転制御装置に対して指令信号を送信する操作端末とを備え、前記運転制御装置は、前記操作端末から送信された指令信号を受信する通信手段を有すると共に、自装置と接続された設備機器のオン／オフを前記指令信号に応じて制御する運転制御手段と、自装置と接続された設備機器の出力値を前記指令信号に応じて制御する出力制御手段とのうち少なくとも１つと、前記操作端末からの指令信号が自装置と接続された設備機器のグループ化を指令するグループ化指令信号である場合に、自装置と接続された設備機器が前記グループ化指令信号に含まれるグループ識別情報で特定されるグループに所属する機器であることを示すグループ化設定情報を生成して記憶するグループ設定手段と、設備機器の運転状態あるいは設備機器のグルーピング状態を、前記設備機器が設置された建物の居住者あるいは管理者に通知する通知手段とを有し、前記運転制御手段または前記出力制御手段は、自装置と接続された設備機器が所属するグループに対する前記指令信号を受信したときに、自装置と接続された設備機器を制御することを特徴とするものである。
また、本発明の運転制御システムの１構成例において、前記グループ設定手段は、前記操作端末との距離に応じて、設備機器をグループ化することを特徴とするものである。
【００１２】
また、本発明の運転制御システムの１構成例において、前記運転制御装置は、さらに、人の存在を検知する人感センサを有し、前記運転制御手段または前記出力制御手段は、前記人感センサの検知結果に応じて、自装置と接続された設備機器を制御することを特徴とするものである。
また、本発明の運転制御システムの１構成例において、前記設備機器は、照明器具であり、前記運転制御装置は、さらに、発光装置を装着可能なソケットと、前記照明器具への装着時に照明器具のソケットと接続される端子とを有することを特徴とするものである。
【００１３】
また、本発明は、設備機器に対して着脱自在に装着可能な運転制御装置であって、操作端末から送信された指令信号を受信する通信手段を有すると共に、自装置と接続された設備機器のオン／オフを前記指令信号に応じて制御する運転制御手段と、自装置と接続された設備機器の出力値を前記指令信号に応じて制御する出力制御手段とのうち少なくとも１つと、前記操作端末からの指令信号が自装置と接続された設備機器のグループ化を指令するグループ化指令信号である場合に、自装置と接続された設備機器が前記グループ化指令信号に含まれるグループ識別情報で特定されるグループに所属する機器であることを示すグループ化設定情報を生成して記憶するグループ設定手段と、設備機器の運転状態あるいは設備機器のグルーピング状態を、前記設備機器が設置された建物の居住者あるいは管理者に通知する通知手段とを有し、前記運転制御手段または前記出力制御手段は、自装置と接続された設備機器が所属するグループに対する前記指令信号を受信したときに、自装置と接続された設備機器を制御することを特徴とするものである。
また、本発明の運転制御装置の１構成例において、前記グループ設定手段は、前記操作端末との距離に応じて、設備機器をグループ化することを特徴とするものである。
【００１４】
また、本発明の運転制御装置の１構成例は、さらに、人の存在を検知する人感センサを有し、前記運転制御手段または前記出力制御手段は、前記人感センサの検知結果に応じて、自装置と接続された設備機器を制御することを特徴とするものである。
また、本発明の運転制御装置の１構成例は、前記設備機器が照明器具である場合に、発光装置を装着可能なソケットと、前記照明器具への装着時に照明器具のソケットと接続される端子とを有することを特徴とするものである。
【発明の効果】
【００１６】
本発明によれば、必要なところにのみ運転制御装置を簡単に追加することができ、運転制御装置を追加した設備機器をオン／オフ制御したり、出力制御したりすることができる。これにより、本発明では、設計時の設備機器の区分けとは無関係に、居住者の存在状況に応じて最適な使用状態を実現できるので、必要な室内環境を実現しながら使用エネルギーを最小化することができる。また、本発明では、居住者が室内レイアウトを決定した後に、実際に利用される際の利便性を反映できるので、居住者の利便性を向上させることができる。また、本発明では、室内の区分け単位を過剰に細分化する必要がなく、配線の変更や設備機器の交換をする必要もないので、コストの増加を最小限に抑えることができる。また、建物の施工者にとっては、利用者（居住者）からのクレームを減らすために区分けの検討に多大な時間を費やす必要性を軽減することができる。また、本発明では、操作端末から運転制御装置に対して指令信号を送信することができるので、居住者や管理者にとっての利便性を向上させることができる。
【００１７】
また、本発明では、複数の設備機器をグループ化することにより、複数の設備機器を一括してオン／オフ制御したり、出力制御したりすることができる。
【００１８】
また、本発明では、運転制御装置に人感センサを設けることにより、人の存否に応じた設備機器の制御を実現することができる。
【００１９】
また、本発明では、運転制御装置に設備機器の運転状態や設備機器のグルーピング状態を通知する通知手段を設けることにより、室内の居住者や管理者は、設備機器の運転状態や設備機器のグルーピング状態を容易に確認することができる。
【００２０】
また、本発明では、運転制御装置に、発光装置を装着可能なソケットと、照明器具への装着時に照明器具のソケットと接続される端子とを設けることにより、既存の照明器具のソケットを利用して、照明器具に運転制御装置を追加することができる。
【図面の簡単な説明】
【００２１】
【図１】本発明の第１の参考例に係る運転制御システムの構成を示す図である。
【図２】本発明の第１の参考例に係る運転制御システムの運転制御装置の構成を示すブロック図である。
【図３】本発明の第１の参考例に係る運転制御システムの操作端末の構成を示すブロック図である。
【図４】本発明の第１の参考例において設備機器の１例である照明器具の構成を示す図である。
【図５】本発明の第１の参考例において設備機器の１例である空調給気吹出口の構成を示す図である。
【図６】本発明の第１の参考例において設備機器をグループ化する場合の操作端末および運転制御装置の動作を示すフローチャートである。
【図７】本発明の第１の参考例において設備機器をオン／オフ制御する場合の操作端末および運転制御装置の動作を示すフローチャートである。
【図８】本発明の第１の参考例において設備機器を出力制御する場合の操作端末および運転制御装置の動作を示すフローチャートである。
【図９】本発明の第１の参考例に係る運転制御システムの効果を説明する平面図である。
【図１０】本発明の第３の参考例に係る運転制御システムの構成を示す平面図である。
【図１１】本発明の第３の参考例に係る運転制御システムの親機の構成を示すブロック図である。
【図１２】本発明の第１の実施の形態において設備機器のグルーピング状態を確認する場合の操作端末および運転制御装置の動作を示すフローチャートである。
【図１３】本発明の第２の実施の形態に係る運転制御システムの運転制御装置の構成を示すブロック図である。
【図１４】本発明の第２の実施の形態に係る運転制御システムの運転制御装置の別の構成を示すブロック図である。
【図１５】従来の問題点を説明する平面図である。
【図１６】従来の別の問題点を説明する平面図である。
【発明を実施するための形態】
【００２２】
［発明の原理］
空調における調和空気搬送や照明における電力供給のように、空調や照明は建物自体の機能構成要素と結合して設置されなければならないものであるため、建物の機能として扱われなければならず、設備機器の設置は建築時に実施されなければならない。すなわち、空調給気吹出口や照明器具などの設備機器は、「固定物＝固定されるべきもの」としての性質を持ち、この性質は避けられないものである。
【００２３】
一方で、水道やガスのように限られた場所で短時間使用する設備とは異なり、空調給気吹出口や照明器具は、広範囲で長時間使用されるものであるため、室内の状況に応じて望まれる最適な状態は適宜変化するものである。すなわち、空調給気吹出口や照明器具などの設備機器は、「非固定物＝固定されるべきではないもの」としての性質を併せ持つ。
【００２４】
従来は、空調給気吹出口や照明器具などの設備機器について、「固定物」としての性質を重視していたので「非固定物」としての性質が犠牲になり、上記のような問題点が発生していたことに、発明者は着眼した。この着眼点に基づき、「固定物」として避けられない部分と「非固定物」として扱うべき部分を分離した構成を採用するべきであることに、発明者は想到した。
【００２５】
具体的には、空調給気吹出口や照明器具などの設備機器の本体は従来どおりに設置し、居住者が占有したりレイアウトに応じて適宜区分けしたりするために必要な操作機能については、本体に着脱可能なように構成する。例えば、無線により居住者からの指令信号を受信して、空調や照明の状態を変化させる制御信号を本体に発信する運転制御装置を採用する。
【００２６】
空調給気吹出口や照明器具などの本体は、運転制御装置を着脱可能とする取付部を有する構造にする。この場合、本体は「固定物」に相当し、運転制御装置は「非固定物」に相当する。利用者は、必要な箇所にのみ運転制御装置を取り付け、運用が変われば取り付け位置を変えることにより、レイアウト変化等に応じた柔軟な対応を行える。
【００２７】
特許文献１に開示された調光センサ装置も着脱可能であるが、本発明の運転制御装置のように指令信号を無線で受信することはできず、本体から取り外して動作モードを再設定する必要があり、柔軟な運用ができない。
また、本発明では、運用の柔軟性をさらに向上させるため、運転制御装置に複数の設備機器をグループ化するグルーピング機能を持たせる。
【００２８】
［第１の参考例］
以下、本発明の参考例について図面を参照して説明する。図１は本発明の第１の参考例に係る運転制御システムの構成を示す図である。運転制御システムは、室内の天井３に設置された空調給気吹出口や照明器具などの設備機器４に対して着脱自在に装着される運転制御装置１と、運転制御装置１に対して指令信号を無線送信する操作端末２とから構成される。
【００２９】
図２は運転制御装置１の構成を示すブロック図である。運転制御装置１は、操作端末２から無線送信された指令信号を受信すると共に、他の運転制御装置１との間で無線通信を行う無線通信部１０と、自装置と接続された設備機器４のオン／オフを指令信号に応じて制御する設備機器運転制御部１１と、自装置と接続された設備機器４の出力値を指令信号に応じて制御する設備機器出力制御部１２と、設備機器４をグループ化するグループ設定部１３と、設備機器４の運転状態や設備機器４のグルーピング状態を居住者や管理者に通知する通知部１４とを有する。ここで、設備機器４が例えば空調給気吹出口であれば、設備機器運転制御部１１、および設備機器出力制御部１２は、例えばモータダンパである。モータダンパの開度を全閉とすることで給気風量はオフ状態となり、モータダンパの開度を比例的あるいは段階的に変更することで給気風量の出力を可変にすることができる。また、設備機器４が例えば照明器具であれば、設備機器４の出力値は光量である。設備機器運転制御部１１は、例えばＯｎ／Ｏｆｆ接点リレーであり、設備機器出力制御部１２は、光量度合いを示す信号出力装置、あるいは光量調整のための周波数変換装置である。
【００３０】
図３は操作端末２の構成を示すブロック図である。操作端末２は、運転制御装置１に対して指令信号を無線送信する無線通信部２０と、居住者や管理者からの指令を受け付けるための操作部２１と、居住者や管理者の操作に応じた指令信号を生成する指令信号生成部２２と、操作端末２を特定のグループに所属させるグループ設定部２３と、居住者や管理者に対して情報を表示する表示部２４とを有する。
【００３１】
図４は設備機器４の１例である照明器具の構成を示す図である。照明器具４０には、運転制御装置１を着脱自在に装着可能な運転制御装置装着部４１が設けられている。運転制御装置装着部４１に運転制御装置１が装着されると、運転制御装置装着部４１に設けられた電源端子（不図示）と運転制御装置１の電源端子（不図示）とが接続され、さらに運転制御装置装着部４１に設けられた通信端子（不図示）と運転制御装置１の通信端子（不図示）とが接続される。こうして、運転制御装置１は、照明器具４０からの電力供給を受けて動作し、蛍光灯を装着するソケットと安定器との間の器具内配線を、ソケットと運転制御装置１とが接続されるように切り替えることにより、照明器具４０のオン（点灯）／オフ（消灯）制御や、調光制御を行うことができるようになる。あるいは、照明器具４０の安定器を制御する別配線を予め照明器具４０に組み込んでおき、運転制御装置１がその配線と接続されるようにしてもよい。
【００３２】
なお、本参考例では、運転制御装置１を運転制御装置装着部４１に着脱し、照明のオン（点灯）／オフ（消灯）制御や、調光制御を行うようにしたが、光量を制御できる機構であれば、他の形態でも利用可能である。例えば、運転制御装置の機能を組み込んだソケットを既存ソケットと交換できるようにしてもよい。あるいは、安定器に運転制御装置の機能を組み込み、既存の照明安定器と交換してもよい。さらには、ソケットと安定器の配線上に運転制御装置を設置できるようにしてもよい。なお、ここで例示したものの中には簡易な器具内配線工事を伴う場合があるが、照明器具を跨ぐ電源配線の工事は不要であり、従来のシステムよりも配線工事の手間は少なく、十分な経済的メリットがある。
【００３３】
図５は設備機器４の１例である空調給気吹出口の構成を示すブロック図である。空調給気吹出口４２には、ダクト４３から供給される給気が通る流路４４と、運転制御装置１を着脱自在に装着可能な固定金具４５とが設けられている。
運転制御装置１は、空調給気吹出口４２に装着されると、空調給気吹出口４２の一部となる構造をしており、給気が通る流路１５と、風量制御のための吹き口開閉部１６とを備えている。
【００３４】
固定金具４５に運転制御装置１が装着されると、空調給気吹出口４２に設けられた電源端子（不図示）と運転制御装置１の電源端子（不図示）とが接続される。こうして、運転制御装置１は、空調給気吹出口４２からの電力供給を受けて動作する。そして、ダクト４３から供給される給気は、流路４４，１５を通って、吹き口開閉部１６が作る開口部から室内に送り出される。
【００３５】
このとき、運転制御装置１の設備機器運転制御部１１と設備機器出力制御部１２とは、吹き口開閉部１６を上下動させて開口部の大きさを変えることにより、給気風量を増減することができ、給気風量０％（オフ）から１００％まで任意の風量に設定することができる。こうして、運転制御装置１は、給気のオン／オフ制御や、給気風量制御を行うことができる。なお、本参考例では、吹き口開閉部１６の上下動によって風量制御を行うようにしているが、これに限るものではなく、風量を制御できる機構であれば、利用可能である。例えば、吹出口に繋がるダクトにモータダンパ等の風量制御機構を装着するのでもよい。
【００３６】
次に、本参考例の運転制御システムをより詳細に説明する。図６（Ａ）、図６（Ｂ）は設備機器４をグループ化する場合の動作を示すフローチャートであり、図６（Ａ）は操作端末２の動作を示すフローチャート、図６（Ｂ）は運転制御装置１の動作を示すフローチャートである。
【００３７】
室内の居住者や管理者は、設備機器４をグループ化したい場合、操作端末２の操作部２１を操作して、グループ化したい設備機器４を指定する。居住者や管理者は、グループ化したい設備機器４を、例えば設備機器４にあらかじめ割り当てられた識別番号で指定すればよい。
【００３８】
操作端末２の指令信号生成部２２は、居住者や管理者からグループ化の指令があったことを認識すると（図６（Ａ）ステップＳ１００においてＹＥＳ）、指定された設備機器４をグループ化するためのグループ化指令信号を生成する（ステップＳ１０１）。このグループ化指令信号には、例えば設備機器４を指定する情報と、グループ識別情報とが含まれる。操作端末２の無線通信部２０は、指令信号生成部２２が生成したグループ化指令信号を各運転制御装置１に無線送信する（ステップＳ１０２）。
【００３９】
各運転制御装置１の無線通信部１０は、操作端末２からのグループ化指令信号を受信すると（図６（Ｂ）ステップＳ１０３においてＹＥＳ）、このグループ化指令信号をグループ設定部１３に渡す。グループ設定部１３は、受信したグループ化指令信号が自装置と接続された設備機器４のグループ化を指令する信号である場合、自装置宛の信号と認識し（ステップＳ１０４においてＹＥＳ）、自装置と接続された設備機器４が、グループ化指令信号のグループ識別情報で特定されるグループに所属する機器であることを示すグループ化設定情報を生成して記憶する（ステップＳ１０５）。
【００４０】
こうして、居住者や管理者が指定した設備機器４が特定のグループに所属するグループ化が行われる。図１の例では、グループ５Ａとグループ５Ｂの２つのグループが設定されている。
【００４１】
なお、操作端末２を特定のグループに対応させたい場合、居住者や管理者は、操作端末２の操作部２１を操作して、特定のグループに対応するよう指示する。操作端末２のグループ設定部２３は、居住者や管理者からの指示に応じて、自装置が特定のグループに対応する装置であることを示すグループ化設定情報を生成して記憶する。以後、この操作端末２は、特定のグループに対してのみ操作を行う装置となる。
【００４２】
図７（Ａ）、図７（Ｂ）は設備機器４をオン／オフ制御する場合の動作を示すフローチャートであり、図７（Ａ）は操作端末２の動作を示すフローチャート、図７（Ｂ）は運転制御装置１の動作を示すフローチャートである。
室内の居住者や管理者は、特定のグループの設備機器４をオンまたはオフにしたい場合、操作端末２の操作部２１を操作して、オンまたはオフにしたいグループを指定する。居住者や管理者は、オンまたはオフにしたいグループを、例えば当該グループに割り当てられた識別番号で指定すればよい。また、居住者や管理者は、オンまたはオフにしたいグループに対応する特定の操作端末２を操作してもよい。
【００４３】
操作端末２の指令信号生成部２２は、居住者や管理者からオンまたはオフの指令があったことを認識すると（図７（Ａ）ステップＳ２００においてＹＥＳ）、居住者や管理者から指定されたグループの設備機器４をオンにするためのオン指令信号、または指定されたグループの設備機器４をオフにするためのオフ指令信号を生成する（ステップＳ２０１）。操作端末２が特定のグループに対応している場合には、指令信号生成部２２は、対応するグループの設備機器４をオンにするためのオン指令信号、または対応するグループの設備機器４をオフにするためのオフ指令信号を生成すればよい。オン指令信号またはオフ指令信号には、例えばグループを指定するグループ識別情報が含まれる。操作端末２の無線通信部２０は、指令信号生成部２２が生成したオン指令信号またはオフ指令信号を各運転制御装置１に無線送信する（ステップＳ２０２）。
【００４４】
各運転制御装置１の無線通信部１０は、操作端末２からのオン指令信号またはオフ指令信号を受信すると（図７（Ｂ）ステップＳ２０３においてＹＥＳ）、このオン指令信号またはオフ指令信号を設備機器運転制御部１１に渡す。設備機器運転制御部１１は、受信したオン指令信号またはオフ指令信号が、自装置と接続された設備機器４が所属するグループのオンまたはオフを指令する信号である場合、自装置宛の信号と認識し（ステップＳ２０４においてＹＥＳ）、オン指令信号またはオフ指令信号に従って、自装置と接続された設備機器４をオンまたはオフにする（ステップＳ２０５）。オン指令信号またはオフ指令信号が、自装置と接続された設備機器４が所属するグループのオンまたはオフを指令する信号であるか否かは、オン指令信号またはオフ指令信号に含まれるグループ識別情報と自装置のグループ設定部１３が設定したグループ化設定情報とを比較することで判定できる。
【００４５】
こうして、特定のグループの設備機器４のみをオン／オフ制御することができる。なお、設備機器４が複数のグループに所属する場合は、複数のグループに対する信号を総合的に判断して動作すればよい。すなわち、運転制御装置１の設備機器運転制御部１１は、自装置と接続された設備機器４が所属する複数のグループのうち少なくとも１つのグループに対するオン指令信号を受信した場合、自装置と接続された設備機器４をオンにする。また、設備機器運転制御部１１は、自装置と接続された設備機器４が所属する全てのグループに対するオフ指令信号を受信した場合、自装置と接続された設備機器４をオフにする。
【００４６】
図８（Ａ）、図８（Ｂ）は設備機器４を出力制御する場合の動作を示すフローチャートであり、図８（Ａ）は操作端末２の動作を示すフローチャート、図８（Ｂ）は運転制御装置１の動作を示すフローチャートである。
室内の居住者や管理者は、特定のグループの設備機器４の出力値を調整したい場合、操作端末２の操作部２１を操作して、調整したいグループを指定する。居住者や管理者は、調整したいグループを、例えば当該グループに割り当てられた識別番号で指定すればよい。また、居住者や管理者は、調整したいグループに対応する特定の操作端末２を操作してもよい。
【００４７】
このとき、居住者や管理者は、調整したい出力値の増減方向だけを指定してもよいし、調整したい出力値の増減量を具体的に指定してもよい。出力値の増減方向だけを指定する場合、設備機器４が照明器具であれば、光量増加または光量減少を指定することになり、設備機器４が空調給気吹出口であれば、風量増加または風量減少を指定することになる。また、出力値の増減量を指定する場合、設備機器４が照明器具であれば、光量増加量（％）または光量減少量（％）を指定することになり、設備機器４が空調給気吹出口であれば、風量増加量（％）または風量減少量（％）を指定することになる。
【００４８】
操作端末２の指令信号生成部２２は、居住者や管理者から設備機器４の出力値調整の指令があったことを認識すると（図８（Ａ）ステップＳ３００においてＹＥＳ）、居住者や管理者から指定されたグループの設備機器４の出力値を調整するための調整指令信号を生成する（ステップＳ３０１）。操作端末２が特定のグループに対応している場合には、指令信号生成部２２は、対応するグループの設備機器４の出力値を調整するための調整指令信号を生成すればよい。調整指令信号には、例えばグループを指定するグループ識別情報と、出力値の増減方向を指定する増減方向情報とが含まれる。さらに、居住者や管理者から出力値の増減量が指定された場合、調整指令信号には、増減量情報が含まれる。操作端末２の無線通信部２０は、指令信号生成部２２が生成した調整指令信号を各運転制御装置１に無線送信する（ステップＳ３０２）。
【００４９】
各運転制御装置１の無線通信部１０は、操作端末２からの調整指令信号を受信すると（図８（Ｂ）ステップＳ３０３においてＹＥＳ）、この調整指令信号を設備機器出力制御部１２に渡す。設備機器出力制御部１２は、受信した調整指令信号が、自装置と接続された設備機器４が所属するグループの出力値調整を指令する信号である場合、自装置宛の信号と認識し（ステップＳ３０４においてＹＥＳ）、調整指令信号に従って、自装置と接続された設備機器４の出力値を調整する（ステップＳ３０５）。調整指令信号が、自装置と接続された設備機器４が所属するグループの出力値調整を指令する信号であるか否かは、調整指令信号に含まれるグループ識別情報と自装置のグループ設定部１３が設定したグループ化設定情報とを比較することで判定できる。
【００５０】
設備機器出力制御部１２は、調整指令信号が増減量情報を含まない場合、設備機器４の出力値を、調整指令信号の増減方向情報に従って所定量だけ増加または減少させる。また、設備機器出力制御部１２は、調整指令信号が増減量情報を含む場合、設備機器４の出力値を、増減量情報で指定された量だけ増加または減少させる。
【００５１】
こうして、特定のグループの設備機器４のみを出力制御することができる。なお、設備機器４が複数のグループに所属する場合は、複数のグループに対する信号を総合的に判断して動作すればよい。すなわち、運転制御装置１の設備機器出力制御部１２は、自装置と接続された設備機器４が所属する複数のグループに対する調整指令信号を受信した場合、各グループに対する増減量情報が指定する増減量の最大値、平均値、加重平均値または最小値を採用して増減量を決定し、自装置と接続された設備機器４の出力値を調整する。
【００５２】
また、設備機器出力制御部１２は、自装置と接続された設備機器４が所属する複数のグループに対する調整指令信号を受信したとき、調整指令信号に増減量情報が含まれていないときは、各グループに対する増減方向情報のうちの１つに従って増減方向を決定するか、あるいは各グループに対する増減方向情報の多数決をとって増減方向を決定し、自装置と接続された設備機器４の出力値を調整する。
【００５３】
以上のように、本参考例では、必要なところにのみ運転制御装置１を簡単に追加することができ、運転制御装置１を追加した設備機器４をオン／オフ制御したり、出力制御したりすることができる。これにより、本参考例では、設計時の設備機器４の区分けとは無関係に、居住者の存在状況に応じて最適な使用状態を実現できるので、必要な室内環境を実現しながら使用エネルギーを最小化することができる。また、本参考例では、居住者が室内レイアウトを決定した後に、実際に利用される際の利便性を反映できるので、居住者の利便性を向上させることができる。
【００５４】
また、本参考例では、室内の区分け単位を過剰に細分化する必要がなく、配線の変更や設備機器４の交換をする必要もないので、コストの増加を最小限に抑えることができる。また、建物の施工者にとっては、利用者（居住者）からのクレームを減らすために区分けの検討に多大な時間を費やす必要性を軽減することができる。また、本参考例では、操作端末２から運転制御装置１に対して無線で指令信号を送信することができるので、居住者や管理者にとっての利便性を向上させることができる。さらに、本参考例では、複数の設備機器４をグループ化することにより、複数の設備機器４を一括してオン／オフ制御したり、出力制御したりすることができる。
【００５５】
例えば図９の平面図で示すように、空間２００の内部に設備機器４が多数設置され、空間２００が複数のゾーン２０２〜２０６に予め区分けされている場合を考える。図１５の場合と同様に、ゾーン２０２と２０３に跨るようにして打合せ卓２０７を設置するときに、打合せ卓２０７の位置の６個の設備機器４に運転制御装置１を装着しグループ化すれば、打合せ卓２０７の人が不在の場合、ゾーン２０２，２０３の人の存否に関係なく、打合せ卓２０７の位置の６個の設備機器４のみを１回の操作で一括してオフにすることができる。したがって、居住者は特に躊躇することなく、消灯という省エネルギー行動を行えるようになる。
【００５６】
［第２の参考例］
次に、本発明の第２の参考例について説明する。第１の参考例では、設備機器４のグルーピングを居住者や管理者からの指示に従って行っているが、グルーピングを自動的に行ってもよい。
【００５７】
例えば、各運転制御装置１のグループ設定部１３は、特定のグループに対応する操作端末２からの距離に応じて、自装置と接続された設備機器４を自動的にグループ化する。無線信号を操作端末２に送信して、操作端末２から応答が戻ってくる時間を測定すれば、自装置と操作端末２との距離を算出することができる。運転制御装置１のグループ設定部１３は、自装置が特定のグループに対応する操作端末２から一定の距離内にあると判断した場合、自装置と接続された設備機器４が、当該グループに所属する機器であることを示すグループ化設定情報を生成して記憶する。
【００５８】
あるいは、グループ設定部１３は、自装置が特定のグループに対応する操作端末２からの無線信号が到達する範囲内にある場合、自装置と接続された設備機器４が、当該グループに所属する機器であることを示すグループ化設定情報を生成して記憶する。
こうして、本参考例では、設備機器４を自動的にグループ化することができる。
【００５９】
［第３の参考例］
次に、本発明の第３の参考例について説明する。図１０は本発明の第３の参考例に係る運転制御システムの構成を示す平面図である。本参考例の運転制御システムは、第１の参考例と同様に、運転制御装置１と操作端末２とから構成されるが、運転制御装置１には、各グループに１台だけ存在する親機１−１と、親機１−１に従って動作する子機１−２の区別がある。親機１−１と子機１−２とは、互いに無線通信することにより、連携した動作を実現する。
【００６０】
図１１は親機１−１の構成を示すブロック図である。親機１−１は、無線通信部１０と、設備機器運転制御部１１と、設備機器出力制御部１２と、グループ設定部１３と、通知部１４と、近くに人がいるかどうかを検出する人感センサ１７とを有する。人感センサ１７は、例えば赤外線、超音波、可視光などを用いて人の存在を検知するものである。また、人が携帯する無線タグを検知する場合も、ここでいう人感センサ４７に含む。
【００６１】
子機１−２は、親機１−１と同様の構成を有するが、親機１−１のものよりも感度が落ちる人感センサ１７を用いている。こうして、親機１−１にはコストが高めの高感度の人感センサ１７を用い、子機１−２には感度はあまりよくないが低コストの人感センサ１７を用いることにより、システム全体のコストを低減させることができる。
【００６２】
設備機器４のグルーピングは、第１の参考例で説明した手動のグルーピングで行ってもよいし、第２の参考例で説明した自動のグルーピングで行ってもよい。
親機１−１は、第１の参考例で説明した運転制御装置１と同様に、自装置と接続された設備機器４が所属するグループに対する指令信号に応じて、設備機器４をオン／オフ制御したり、出力制御したりする。
【００６３】
また、親機１−１は、人感センサ１７の検知結果に応じて、設備機器４をオン／オフ制御したり、出力制御したりする。例えば、親機１−１の設備機器運転制御部１１は、人感センサ１７が人の存在を検知した場合、自装置と接続された停止中の設備機器４をオンにし、人感センサ１７が人の存在を検知しなかった場合、自装置と接続された運転中の設備機器４をオフにする。あるいは、親機１−１の設備機器出力制御部１２は、人感センサ１７が人の存在を検知しなかった場合、自装置と接続された設備機器４の出力値を所定量だけ減少させる。
【００６４】
一方、子機１−２は、親機１−１と同様に、自装置と接続された設備機器４が所属するグループに対する指令信号、または人感センサ１７の検知結果に応じて、設備機器４をオン／オフ制御したり、出力制御したりするが、このとき親機１−１の動作を加味した上で動作する。すなわち、子機１−２は、同じグループに所属する親機１−１が設備機器４をオン／オフ制御したり、出力制御したりしている場合、自装置と接続された設備機器４を同様にオン／オフ制御したり、出力制御したりする。親機１−１が同じグループに所属するか否かは、親機１−１と通信を行って、親機１−１のグループ設定部１３が設定したグループ化設定情報と自装置のグループ設定部１３が設定したグループ化設定情報とを比較することで判定できる。このように、親機１−１の動作を加味した上で動作する理由は、子機１−２に搭載された人感センサ１７の感度がよくないために誤認識である可能性があるからである。
【００６５】
なお、人感センサ１７は、第１の参考例、第２の参考例で説明した運転制御装置１に加えてもよい。これにより、第１の参考例、第２の参考例において、人感センサ１７の検知結果に応じた設備機器４の制御を実現することができる。
【００６６】
［第１の実施の形態］
次に、本発明の第１の実施の形態について説明する。本実施の形態においても、運転制御システムの構成は第１の参考例〜第３の参考例と同様であるので、図１〜図３、図１１の符号を用いて説明する。本実施の形態は、設備機器４の運転状態あるいはグルーピング状態を居住者や管理者に通知するものである。
【００６７】
運転制御装置１の通知部１４は、設備機器４のオン（運転）／オフ（停止）状態、あるいは出力値を表示する。出力値の表示は、例えば設備機器４が空調給気吹出口の場合、風量を数値で表示してもよいし、風量を段階表示してもよい。特に、空調給気吹出口などの場合、運転中かどうかを確認しにくいが、通知部１４による表示を行うことにより、居住者や管理者は、設備機器４が運転中かどうかを容易に確認することができる。
【００６８】
図１２（Ａ）、図１２（Ｂ）は設備機器４のグルーピング状態を確認する場合の動作を示すフローチャートであり、図１２（Ａ）は操作端末２の動作を示すフローチャート、図１２（Ｂ）は運転制御装置１の動作を示すフローチャートである。
居住者や管理者は、設備機器４のグルーピング状態を確認したい場合、操作端末２の操作部２１を操作して、グループ確認を要求する。操作端末２の指令信号生成部２２は、居住者や管理者からグループ確認の要求があった場合（図１２（Ａ）ステップＳ４００においてＹＥＳ）、グループ確認指令信号を生成する（ステップＳ４０１）。グループ確認指令信号には、例えばグループを指定するグループ識別情報が含まれる。操作端末２の無線通信部２０は、指令信号生成部２２が生成したグループ確認指令信号を各運転制御装置１に無線送信する（ステップＳ４０２）。
【００６９】
各運転制御装置１の無線通信部１０は、操作端末２からのグループ確認指令信号を受信すると（図１２（Ｂ）ステップＳ４０３においてＹＥＳ）、このグループ確認指令信号を通知部１４に渡す。通知部１４は、受信したグループ確認指令信号が、自装置と接続された設備機器４が所属するグループに対するグループ確認指令信号である場合、自装置宛の信号と認識し（ステップＳ４０４においてＹＥＳ）、例えばＬＥＤを一定時間点滅させる（ステップＳ４０５）。こうして、本実施の形態では、同一グループに所属する運転制御装置１のＬＥＤが一定時間点滅するので、居住者や管理者は、設備機器４のグルーピング状態を容易に確認することができる。
【００７０】
従来、照明や空調のスイッチは壁面に設置されているが、スイッチとゾーンの対応関係が分かりにくい。これに対して、本実施の形態では、操作端末２とこれに対応する設備機器４のグループとの関係を容易に確認することができる。
【００７１】
［第２の実施の形態］
次に、本発明の第２の実施の形態について説明する。図１３（Ａ）、図１３（Ｂ）は本発明の第２の実施の形態に係る運転制御装置１の構成を示す図であり、図１３（Ａ）は運転制御装置１を照明器具４０に装着する前の状態を示し、図１３（Ｂ）は運転制御装置１を照明器具４０に装着した状態を示している。本実施の形態の運転制御装置１は、蛍光灯４７を装着可能なソケット１８と、照明器具４０のソケット４６と接続される端子１９とを備えている。
【００７２】
運転制御装置１の端子１９を照明器具４０のソケット４６に接続して、運転制御装置１を照明器具４０に装着したときに、蛍光灯４７はソケット１８および端子１９を介して照明器具４０と接続される。運転制御装置１は、照明器具４０のソケット４６から電力供給を受けて動作する。運転制御装置１の内部構成は、図２、図１１に示したとおりである。こうして、本実施の形態では、既存の照明器具４０のソケット４６を利用して、照明器具４０に運転制御装置１を追加することができる。
【００７３】
図１４（Ａ）、図１４（Ｂ）は本発明の第２の実施の形態に係る運転制御装置１の別の構成を示す図であり、図１４（Ａ）は運転制御装置１を照明器具４０に装着する前の状態を示し、図１４（Ｂ）は運転制御装置１を照明器具４０に装着した状態を示している。この運転制御装置１は、蛍光灯４８を装着可能なソケット５０と、照明器具４０のソケット４６と接続される端子５１とを備えている。
【００７４】
図１４（Ａ）、図１４（Ｂ）の例の場合、蛍光灯４７よりも短い蛍光灯４８を用いる。蛍光灯４８の一端を運転制御装置１のソケット５０に装着して、蛍光灯４８の他端と運転制御装置１の端子５１とを照明器具４０のソケット４６に装着する。これにより、上記と同様に、既存の照明器具４０のソケット４６を利用して、照明器具４０に運転制御装置１を追加することができる。
【００７５】
なお、第１の参考例〜第３の参考例、第１の実施の形態、第２の実施の形態では、発光装置の例として蛍光灯を例に挙げて説明しているが、これに限るものではなく、電球やＬＥＤなどの発光装置を用いてもよいことは言うまでもない。
また、第１の参考例〜第３の参考例、第１の実施の形態、第２の実施の形態では、運転制御装置１に設備機器運転制御部１１と設備機器出力制御部１２の両方を設けているが、設備機器運転制御部１１と設備機器出力制御部１２のいずれか一方を設けて、設備機器のオン／オフ制御と出力制御のいずれか一方を行うようにしてもよい。
【００７６】
さらに、第１の参考例〜第３の参考例、第１の実施の形態、第２の実施の形態では、グループ化に際して、設備機器４の識別番号を指定する方式としたが、必ずしもこの方式でなくてもよい。例えば、指向性の強い無線を操作端末２から設備機器４に向けることにより選択し、対象グループとするかどうかを指定するようにしてもよい。
また、第１の参考例〜第３の参考例、第１の実施の形態、第２の実施の形態では、操作端末２にて、操作したいグループの識別番号を指定したうえでオン・オフなどの操作を行うこととした。これにより、ひとつの操作端末２で複数のグループを操作でき、利便性を向上させているが、この方式に限定するものではない。操作端末２とグループとの対応を１：１として、グループの識別番号の指定を不要としてもよい。
【００７７】
第１の参考例〜第３の参考例、第１の実施の形態、第２の実施の形態の運転制御装置１と操作端末２の各々は、ＣＰＵ、記憶装置および外部とのインタフェースを備えたコンピュータと、これらのハードウェア資源を制御するプログラムによって実現することができる。各々の装置のＣＰＵは、記憶装置に格納されたプログラムに従って第１の参考例〜第３の参考例、第１の実施の形態、第２の実施の形態で説明した処理を実行する。
【産業上の利用可能性】
【００７８】
本発明は、設備機器の運転を制御する技術に適用することができる。
【符号の説明】
【００７９】
１…運転制御装置、１−１…親機、１−２…子機、２…操作端末、３…天井、４…設備機器、１０…無線通信部、１１…設備機器運転制御部、１２…設備機器出力制御部、１３…グループ設定部、１４…通知部、１５…流路、１６…吹き口開閉部、１７…人感センサ、１８，４６，５０…ソケット、１９，５１…端子、２０…無線通信部、２１…操作部、２２…指令信号生成部、２３…グループ設定部、２４…表示部、４０…照明器具、４１…運転制御装置装着部、４２…空調給気吹出口、４３…ダクト、４４…流路、４５…固定金具、４７，４８…蛍光灯。
【図１】
0005639810.tif 000002
【図２】
0005639810.tif 000003
【図３】
0005639810.tif 000004
【図４】
0005639810.tif 000005
【図５】
0005639810.tif 000006
【図６】
0005639810.tif 000007
【図７】
0005639810.tif 000008
【図８】
0005639810.tif 000009
【図９】
0005639810.tif 000010
【図１０】
0005639810.tif 000011
【図１１】
0005639810.tif 000012
【図１２】
0005639810.tif 000013
【図１３】
0005639810.tif 000014
【図１４】
0005639810.tif 000015
【図１５】
0005639810.tif 000016
【図１６】
0005639810.tif 000017